(57)【特許請求の範囲】
【請求項１】
水平分散形の計算機網を構成する通信システムに設けられ、ファイルの転送要求およびファイルの操作要求に対応してファイルの管理先を特定し、当該ファイルの転送および操作制御を行う通信システムのファイル制御装置であって、
それぞれ異なるプロトコルでのファイル転送要求の記述を予め定められた第１の共通形式の記述にそれぞれ変換する複数の転送プロトコル変換手段と、
それぞれ異なるプロトコルでのファイル削除とファイルコピーを含むファイル操作要求の記述を予め定められた第２の共通形式の記述にそれぞれ変換する複数の操作プロトコル変換手段と、
上記転送プロトコル変換手段で上記第１の共通形式の記述に変換されたファイル転送要求におけるファイルの所在を特定するアクセス先情報を、上記ファイル転送要求と上記ファイル操作要求の双方に共通な第３の形式の記述でのアクセス先情報に対応付けて登録する転送テーブルと、
上記操作プロトコル変換手段で上記第２の共通形式の記述に変換されたファイル操作要求におけるファイルの所在を特定するアクセス先情報を上記第３の形式の記述でのアクセス先情報に対応付けて登録する操作テーブルと、
上記転送プロトコル変換手段で上記第１の共通形式に変換されたファイル転送要求におけるアクセス先情報を、上記転送テーブルを参照して、上記第３の形式の記述でのアクセス先情報に変換する転送変換手段と、
上記操作プロトコル変換手段で上記第２の共通形式に変換されたファイル操作要求におけるアクセス先情報を、上記操作テーブルを参照して、上記第３の形式の記述でのアクセス先情報に変換する操作変換手段と、
該操作変換手段および上記転送変換手段で上記第３の形式に変換された上記アクセス先情報に基づき、対応するファイルの管理先（格納先）を特定する特定手段と
を有することを特徴とする通信システムのファイル制御装置。
【請求項２】
請求項１に記載の通信システムのファイル制御装置において、
上記複数の転送プロトコル変換手段は、ＦＴＡＭでのファイル転送要求における上記アクセス先情報の記述を上記第１の共通形式の記述に変換するＦＴＡＭ変換手段と、ＦＴＰでのファイル転送要求における上記アクセス先情報の記述を上記第１の共通形式の記述に変換するＦＴＰ変換手段とを少なくとも含み、
上記複数の操作プロトコル変換手段は、ＣＭＩＰでのファイル操作要求における上記アクセス先情報の記述を上記第２の共通形式の記述に変換するＣＭＩＰ変換手段と、ＳＮＭＰでのファイル操作要求における上記アクセス先情報の記述を上記第２の共通形式の記述に変換するＳＮＭＰ変換手段とを少なくとも含む
ことを特徴とする通信システムのファイル制御装置。
【発明の詳細な説明】
【０００１】
【発明の属する技術分野】
本発明は、水平分散形の計算機網を構成する通信システムに設けられ、ＦＴＡＭ（Ｆｉｌｅ  Ｔｒａｎｓｆｅｒ  Ａｃｃｅｓｓ  ａｎｄ  Ｍａｎａｇｅｍｅｎｔ）やＦＴＰ（Ｆｉｌｅ  Ｔｒａｎｓｆｅｒ  ｐｒｏｔｏｃｏｌ）などのプロトコルによるファイル転送、あるいは、ＣＭＩＰ（Ｃｏｍｍｏｎ  Ｍａｎａｇｅｍｅｎｔ  Ｉｎｆｏｒｍａｔｉｏｎ  Ｐｒｏｔｏｃｏｌ）やＳＮＭＰ（Ｓｉｍｐｌｅ  Ｎｅｔｗｏｒｋ  Ｍａｎａｇｅｍｅｎｔ  Ｐｒｏｔｏｃｏｌ）などのプロトコルによるファイル操作に対応するファイルの管理先を特定するファイル制御装置に係り、特に、種々の異なるプロトコルでのファイル転送要求やファイル操作要求に効率的に対応するのに好適な通信システムのファイル制御装置に関するものである。
【０００２】
【従来の技術】
近年、例えば、社団法人電子情報通信学会編「電子情報通信ハンドブック」（１９８８年、株式会社オーム社発行）の第１８８７頁〜第１９０２頁に記載のように、水平分散形の計算機網における各通信システム間での通信プロトコルの標準化が図られている。しかし、実際には、各通信システム間での通信は、それぞれの機種毎に異なるプロトコルに基づき行われている。このようなそれぞれ異なるプロトコルでのファイル転送やファイル操作などのファイルオペレーションに対処するために、ファイルを管理する通信システムでは、次の図６に示すように、それぞれのプロトコルに対応したファイル制御装置を設けた構成となっている。
【０００３】
図６は、従来のファイルオペレーションを行う通信システムの構成例を示すブロック図である。
ファイルオペレーションは、オペレーションシステム６０から通信システム６１へのファイル転送と、オペレーションシステム６０から通信システム６１へのファイル削除やファイルコピーなどのファイル操作とからなる。このようなファイルオペレーションに対応するために、通信システム６１側には、複数のファイル制御装置が設けられている。
【０００４】
ファイル転送においては、ＦＴＡＭやＦＴＰなどのプロトコルが使用されており、通信システム６１には、それぞれのプロトコル処理を実行するために各処理部（ＦＴＡＭ処理部６１ｂ、ＦＴＰ処理部６１ｄ、ファイル転送ローカルプロトコル処理部６１ｆ）が実装され、その上に、それぞれのプロトコル特有のファイル制御を行うためのファイル制御装置（ＦＴＡＭ依存ファイル制御装置６１ａ、ＦＴＰ依存ファイル制御装置６１ｃ、ファイル転送ローカルプロトコル依存ファイル制御装置６１ｅ）が設けられている。そして、ＦＴＡＭファイル制御装置６１ａ、ＦＴＰ依存ファイル制御装置６１ｃ、ファイル転送ローカルプロトコル依存ファイル制御装置６１ｅのそれぞれが、個別に、対象のファイルの存在するファイルシステム管理部（１）６２，（２）６３を割り出して、宛先のファイルシステム管理部（１）６２，（２）６３とのファイルの送受を行う。
【０００５】
同様に、ファイル操作においては、ＣＭＩＰやＳＮＭＰなどのプロトコルが使用されており、通信システム６１では、各プロトコル処理をそれぞれ実行するＣＭＩＰ処理部６１ｈ、ＳＮＭＰ処理部６１ｊ、ファイル操作ローカルプロトコル処理部６１ｌが実装され、その上に、各プロトコル特有のファイル制御装置（ＣＭＩＰ依存ファイル制御装置６１ｇ、ＳＮＭＰ依存ファイル制御装置６１ｉ、ファイル操作ローカルプロトコル依存制御６１ｋ）が設けられている。そして、ＣＭＩＰ依存ファイル制御装置６１ｇ、ＳＮＭＰ依存ファイル制御装置６１ｉ、ファイル操作ローカルプロトコル依存制御６１ｋのそれぞれが、個別に、対象のファイルの存在するファイル管理部（１）６２，（２）６３を割り出して、宛先のファイルシステム管理部（１）６２，（２）６３にファイル操作指示を伝える。
【０００６】
このように、従来は、異なるファイル転送プロトコル毎、および、異なるファイル操作プロトコル毎に、それぞれ個別のファイル制御装置が必要であった。
また、ファイル転送を行う装置とファイル操作を行う装置とが分かれており、宛先ファイルの所在を管理するためのデータを重複して持たなければならなかった。
【０００７】
【発明が解決しようとする課題】
解決しようとする問題点は、従来の技術では、異なるファイル転送プロトコル毎、および、異なるファイル操作プロトコル毎に、それぞれ個別のファイル制御装置が必要な点と、ファイル転送を行う装置とファイル操作を行う装置とが分かれており、宛先ファイルの所在を管理するためのデータを重複して持たなければならない点である。
本発明の目的は、これら従来技術の課題を解決し、プロトコル仕様の追加や変更、およびファイルシステム管理部の増設等にも容易に対応可能な通信システムのファイル制御装置を提供することである。
【０００８】
【課題を解決するための手段】
上記目的を達成するため、本発明の通信システムのファイル制御装置は、ＦＴＡＭとＦＴＰを少なくとも含む各プロトコル形式でのファイル転送要求の記述を、それぞれ、予め定められた共通形式の記述（仮想ファイルストア名、ＶＦＩＤ）に変換する複数の転送プロトコル変換手段（ＦＴＰ変換部１ａ、ＦＴＡＭ変換部１ｂ）と、ＣＭＩＰとＳＮＭＰを少なくとも含む各プロトコル形式でのファイル操作要求の記述を、それぞれ、予め定められた共通形式の記述（ＭＯインスタンス名、ＭＯＩＤ）に変換する複数の操作プロトコル変換手段（ＣＭＩＰ変換部１ｃ、ＳＮＭＰ変換部１ｄ）と、これらの仮想ファイルストア名（ＶＦＩＤ）とＭＯインスタンス名（ＭＯＩＤ）とを、双方に共通な形式の記述（共通ファイル名、ＣＦＩＤ）に変換するプロトコル共通化手段（転送変換部１ｅ、操作変換部１ｇ）と、この共通ファイル名（ＣＦＩＤ）に基づき、対応するファイルの管理先（ファイルシステム管理装置（１），（２））を特定する特定手段（アドレス管理部１ｉ）とを有することを特徴とする。
【０００９】
【発明の実施の形態】
以下、本発明の実施例を、図面により詳細に説明する。
図１は、本発明の通信システムのファイル制御装置の本発明に係る構成の一実施例を示すブロック図である。
本図１において、１は本発明のファイル制御装置、２はファイル制御装置１を具備した通信システム、３，４はファイルを管理するファイルシステム管理装置（１），（２）、５〜８はファイルの転送要求およびファイルの操作要求を行うオペレーションシステム（図中、「ＯＳ」と記載）である。
【００１０】
ファイル制御装置１は、ＦＴＰ変換部１ａ、ＦＴＡＭ変換部１ｂ、ＣＭＩＰ変換部１ｃ、ＳＮＭＰ変換部１ｄ、転送変換部１ｅ、転送テーブル１ｆ、操作変換部１ｇ、操作テーブル１ｈ、アドレス管理部１ｉにより構成されている。
また、各オペレーションシステム５〜８は、それぞれ異なるプロトコルによりファイル転送、ファイル操作を行う。すなわち、オペレーションシステム５はＦＴＰ、オペレーションシステム６はＦＴＡＭ、オペレーションシステム７はＣＭＩＰ、オペレーションシステム８はＳＮＭＰをそれぞれ用いる。
【００１１】
そして、ファイル制御装置１では、ＦＴＰ変換部１ａ、ＦＴＡＭ変換部１ｂ、ＣＭＩＰ変換部１ｃ、ＳＮＭＰ変換部１ｄにより、それぞれのオペレーションシステム５〜８のプロトコルに対応した処理を行う。
すなわち、ＦＴＰ変換部１ａとＦＴＡＭ変換部１ｂにより、それぞれ、ＦＴＰプロトコルおよびＦＴＡＭプロトコルの形式でのファイル転送要求の記述を、共通な形式の記述（仮想ファイルストア名）に変換し、転送変換部１ｅに送出し、また、ＣＭＩＰ変換部１ｃとＳＮＭＰ変換部１ｄにより、それぞれ、ＣＭＩＰプロトコルおよびＳＮＭＰプロトコルの形式でのファイル操作要求の記述を、共通な形式の記述（ＭＯインスタンス名）に変換し、操作変換部１ｇに送出する。
【００１２】
以下、このような構成のファイル制御装置１による、ファイル転送およびファイル操作における動作説明を行う。
ファイル転送に際しては、ファイル制御装置１は、オペレーションシステム５，６のファイル転送プロトコル処理部（ＦＴＰ，ＦＴＡＭ）から、ＦＴＰやＦＴＡＭに基づくファイルオープン指示を受信すると、ＦＴＰ変換部１ａやＦＴＡＭ変換部１ｂにおいて、ＦＴＰ形式やＦＴＡＭ形式で記述されたファイルオープン指示を、予め定められた共通形式の記述、すなわちプロトコルに依存しない記述（仮想ファイルストア名、ＶＦＩＤ）に変換し、この仮想ファイルストア名（ＶＦＩＤ）を転送変換部１ｅに送出する。
【００１３】
転送変換部１ｅでは、図２にその詳細を示す転送テーブル（仮想ファイルストア名−共通ファイル名変換テーブル）１ｆを参照して、受け取った仮想ファイルストア名（ＶＦＩＤ）を、対応する共通ファイル名（ＣＦＩＤ）に変換し、アドレス管理部１ｉに渡す。
アドレス管理部１ｉでは、図４に詳細を示すファイル実装データに基づき、宛先のファイルシステム管理装置（１）３，（２）４を割り出して特定する。このようにして特定された宛先のファイルシステム管理装置（１）３，（２）４にファイルデータが転送される。
【００１４】
ファイル操作に際しては、ファイル制御装置１は、オペレーションシステム７，８のファイル操作プロトコル処理部（ＣＭＩＰ，ＳＮＭＰ）から、ＣＭＩＰやＳＮＭＰに基づくファイル操作指示を受信すると、ＣＭＩＰ変換部１ｃやＳＮＭＰ変換部１ｄにおいて、ＣＭＩＰ形式やＳＮＭＰ形式で記述されたファイル操作指示を、予め定められた共通形式の記述、すなわちプロトコルに依存しない記述（ＭＯＩＤ：ＭＯインスタンス名，ＭＯ：Ｍｅｒｇｅｄ  Ｏｂｊｅｃｔ）に変換し、このＭＯインスタンス名（ＭＯＩＤ）を操作変換部１ｇに送出する。
【００１５】
操作変換部１ｇでは、図３にその詳細を示す操作テーブル（ＭＯインスタンス名−共通ファイル名変換テーブル）１ｈを参照して、受け取ったＭＯインスタンス名（ＭＯＩＤ）を、対応する共通ファイル名（ＣＦＩＤ）に変換し、アドレス管理部１ｉに渡す。
アドレス管理部１ｉでは、図４に詳細を示すファイル実装データに基づき、宛先のファイルシステム管理装置（１）３，（２）４を割り出して特定する。このようにして特定された宛先のファイルシステム管理装置（１）３，（２）４にファイル操作指示が転送される。
【００１６】
このように、ファイル制御装置１を、ＦＴＰ変換部１ａ、ＦＴＡＭ変換部１ｂ、ＣＭＩＰ変換部１ｃ、ＳＮＭＰ変換部１ｄ等、プロトコルに依存する処理を行う部分と、転送変換部１ｅ、操作変換部１ｇ等、プロトコルに依存しない処理を行う部分とに分けることにより、プロトコルの追加や変更にも、プロトコルに依存する処理部分のみで対処できるので、各種プロトコルのサポートが容易となる。
さらに、プロトコルに依存しない処理部分では、ファイル転送とファイル操作で共通な宛先情報（ファイル実装データ）を用いるので、従来技術におけるデータの重複を回避でき、宛先であるファイルシステム管理装置の増設等にも容易に対応可能となる。
【００１７】
以下、図２〜図５を用いて、このようなファイル制御装置１の動作を、具体的に説明する。
図２は、図１における転送テーブルの登録内容例を示す説明図である。
本例の転送テーブル（図中、「仮想ファイルストア名−共通ファイル名変換テーブル」と記載）では、図１のＦＴＰ変換部１ａおよびＦＴＡＭ変換部１ｂから送られてくる仮想ファイルストア名（ＶＦＩＤ）として「ｆｉｌｅ  ｎａｍｅ：：ＳＥＱＵＥＮＣＥ｛Ｒｏｏｔ，Ａ，Ｂ，ｆｉｌｅ＃１｝」からなるディレクトリが示され、共通ファイル名において、仮想ファイルストア名におけるディレクトリ「Ｒｏｏｔ，Ａ，Ｂ，ｆｉｌｅ＃１」のそれぞれの変換用に、各ファイル「／，Ａ／，Ｂ／，ｆｉｌｅ＃１」が、図の矢印で示すように対応付けられている。
【００１８】
図３は、図１における操作テーブルの登録内容例を示す説明図である。
本例の操作テーブル（図中、「ＭＯインスタンス名−共通ファイル名変換テーブル」と記載）では、図１のＣＭＩＰ変換部１ｃおよびＳＮＭＰ変換部１ｄから送られてくるＭＯインスタンス名（ＭＯＩＤ）として
0003632166.tif 000002
からなるディレクトリが示され、そして、共通ファイル名において、ＭＯインスタンス名におけるディレクトリ「Ｒｏｏｔ，Ａ，Ｂ，ｆｉｌｅ＃１」のそれぞれの変換用に、各ファイル「／，Ａ／，Ｂ／，ｆｉｌｅ＃１」が、図の矢印で示すように対応付けられている。
【００１９】
図４は、図１におけるアドレス管理部で用いるファイル実装データの内容例を示す説明図である。
本例では、ルート「／」下のディレクトリ情報として「Ａ」、「Ｂ」、「Ｃ」、「Ｄ」群と、「Ｅ」、「Ｆ」、「Ｇ」、「Ｈ」群が、また、ファイル実体情報としてディレクトリ「Ｂ」下のファイル「ｆｉｌｅ＃１」とディレクトリ「Ｈ」下の「ｆｉｌｅ＃２」が分けて管理され、そして、ディレクトリ「Ａ、Ｂ、Ｃ、Ｄ」群とファイル「ｆｉｌｅ＃１」の実装先（ファイル実装先情報）として、図１におけるファイルシステム管理装置（１）３が示され、また、ディレクトリ「Ｅ、Ｆ、Ｇ、Ｈ」群とファイル「ｆｉｌｅ＃２」の実装先として、図１におけるファイルシステム管理装置（２）４が示されている。
【００２０】
このファイル実装データに基づき、図１のアドレス管理部１ｉは、例えば、図２、図３における共通ファイル名「／，Ａ，Ｂ，ｆｉｌｅ＃１」に対応するファイルが、図１のファイルシステム管理装置（１）３で管理されていることを判別することができ、このファイルシステム管理装置（１）３に対するファイルデータの転送、あるいは、ファイル操作指示が行われる。
【００２１】
図５は、図１におけるファイル制御装置の本発明に係る処理動作例を示すフローチャートである。
オペレーションシステムからのファイルオペレーションのアクセスを受けると、まず、そのファイルオペレーションがファイル転送か否かを判別する（ステップ５０１）。ファイル転送であれば、プロトコルがＦＴＡＭであるか否かを判別する（ステップ５０２）。ＦＴＡＭであれば図１のＦＴＡＭ変換部１ｂにより、その宛先の記述を、予め定められた各ファイル転送プロトコルに共通な形式の記述（仮想ファイルストア名、ＶＦＩＤ）に変換する（ステップ５０３）。
【００２２】
さらに、この変換した仮想ファイルストア名（ＶＦＩＤ）を、図１の転送変換部１ｅにより、図２の転送テーブル（仮想ファイルストア名−共通ファイル名変換テーブル）１ｆに基づき、予め定められたファイル操作プロトコルと共通な形式の記述（共通ファイル名、ＣＦＩＤ）に変換する（ステップ５０４）。そして、この共通ファイル名（ＣＦＩＤ）に基づき、図１のアドレス管理部１ｉで、図４に示すファイル実装データを検索し、宛先のファイルシステム管理装置を特定してアクセスし、ファイルデータの転送を行なう（ステップ５０５）。
【００２３】
また、ステップ５０２において、プロトコルがＦＴＡＭでなければ、ＦＴＰか否かを判別する（ステップ５０６）。ＦＴＰであれば図１のＦＴＰ変換部１ａにより、その宛先の記述を、予め定められた各ファイル転送プロトコルに共通な形式の記述（仮想ファイルストア名、ＶＦＩＤ）に変換し（ステップ５０７）、以降、ステップ５０４からの処理を行う。
【００２４】
また、ステップ５０１において、そのファイルオペレーションがファイル転送でなければ、ファイル操作か否かを判別する（ステップ５０８）。ファイル操作であれば、プロトコルがＣＭＩＰであるか否かを判別する（ステップ５０９）。ＣＭＩＰであれば図１のＣＭＩＰ変換部１ｃにより、その宛先の記述を、予め定められた各ファイル操作プロトコルに共通な形式の記述（ＭＯインスタンス名、ＭＯＩＤ）に変換する（ステップ５１０）。
【００２５】
さらに、この変換したＭＯインスタンス名（ＭＯＩＤ）を、図１の操作変換部１ｇにより、図３の操作テーブル（ＭＯインスタンス名−共通ファイル名変換テーブル）１ｈに基づき、予め定められたファイル転送プロトコルと共通な形式の記述（共通ファイル名、ＣＦＩＤ）に変換する（ステップ５１１）。そして、この共通ファイル名（ＣＦＩＤ）に基づき、図１のアドレス管理部１ｉで、図４に示すファイル実装データを検索し、宛先のファイルシステム管理装置を特定してアクセスし、ファイル操作指示を送出する（ステップ５０５）。
【００２６】
また、ステップ５０９において、プロトコルがＣＭＩＰでなければ、ＳＮＭＰか否かを判別する（ステップ５１２）。ＳＮＭＰであれば図１のＳＮＭＰ変換部１ｄにより、その宛先の記述を、予め定められた各ファイル操作プロトコルに共通な形式の記述（ＭＯインスタンス名、ＭＯＩＤ）に変換し（ステップ５１３）、以降、ステップ５１１からの処理を行う。
【００２７】
以上、図１〜図５を用いて説明したように、本実施例の通信システムのファイル制御装置では、ファイル転送用の各プロトコルでの記述を共通の形式の記述（仮想ファイルストア名、ＶＦＩＤ）に変換し、また、ファイル操作用の各プロトコルでの記述を共通の形式の記述（ＭＯインスタンス名、ＭＯＩＤ）に変換し、さらに、ファイル転送用の共通な形式での記述（ＶＦＩＤ）とファイル操作用の共通な形式（ＭＯＩＤ）での記述とを、双方に共通な記述（ＣＦＩＤ）に変換して、ファイルオペレーション対象のファイルシステム管理装置とファイル位置を求めている。このことにより、通信システムにおいて従来、各プロトコル毎に必要であった、ファイルシステム管理装置へアクセスするためのファイル制御処理部が不要となる。
【００２８】
また、ファイル転送プロトコルやファイル操作プロトコルの追加に際しても、ＦＴＰ変換部やＭＴＡＭ変換部、および、ＣＭＩＰ変換部やＳＮＭＰ変換部等、プロトコルに依存する処理部分のみの追加で対処できる。
さらに、アドレス管理部１ｉでは、ファイル転送とファイル操作でのファイルシステム管理装置の管理を一括して行うことができるので、ファイル転送とファイル操作でのデータの重複管理を回避できる。
そして、このような処理の簡素化により、必要なダイナミックステップ数や、必要メモリ量の減少、および、開発規模の削減が見込まれ、通信システムのファイル制御装置のプログラムを経済的に導入することができる。
【００２９】
尚、本発明は、図１〜図５を用いて説明した実施例に限定されるものではなく、その要旨を逸脱しない範囲において種々変更可能である。例えば、本実施例では、ファイル転送プロトコルとしてＦＴＰとＦＴＡＭを、また、ファイル操作プロトコルとしてＣＭＩＰとＳＮＭＰを例としているが、他のローカルプロトコルにも適用可能である。
また、本実施例では、各オペレーションシステムは、それぞれ、ファイル転送用とファイル操作用で分けているが、同一のオペレーションシステムからファイル転送とファイル操作を行うことでも良い。
【００３０】
【発明の効果】
本発明によれば、異なるファイル転送プロトコル毎、および、異なるファイル操作プロトコル毎に、それぞれ個別のファイル制御装置を設ける必要がなくなり、また、同一装置でファイル転送とファイル操作を行うことができるので宛先ファイルの所在を管理するデータを重複して持つ必要がなくなり、プロトコル仕様の追加や変更、およびファイルシステム管理装置の増設等に容易に対応することが可能である。
【図面の簡単な説明】
【図１】本発明の通信システムのファイル制御装置の本発明に係る構成の一実施例を示すブロック図である。
【図２】図１における転送テーブルの登録内容例を示す説明図である。
【図３】図１における操作テーブルの登録内容例を示す説明図である。
【図４】図１におけるアドレス管理部で用いるファイル実装データの内容例を示す説明図である。
【図５】図１におけるファイル制御装置の本発明に係る処理動作例を示すフローチャートである。
【図６】従来のファイルオペレーションを行う通信システムの構成例を示すブロック図である。
【符号の説明】
１：ファイル制御装置、１ａ：ＦＴＰ変換部、１ｂ：ＦＴＡＭ変換部、１ｃ：ＣＭＩＰ変換部、１ｄ：ＳＮＭＰ変換部、１ｅ：転送変換部、１ｆ：転送テーブル、１ｇ：操作変換部、１ｈ：操作テーブル、１ｉ：アドレス管理部、２：通信システム、３，４：ファイルシステム管理装置（１），（２）、５〜８：オペレーションシステム（ＯＳ）、６０：オペレーションシステム、６１：通信システム、６１ａ：ＦＴＡＭ依存ファイル制御装置、６１ｂ：ＦＴＡＭ処理部、６１ｃ：ＦＴＰ依存ファイル制御装置、６１ｄ：ＦＴＰ処理部、６１ｅ：ファイル転送ローカルプロトコル依存ファイル制御装置、６１ｆ：ファイル転送ローカルプロトコル処理部、６１ｇ：ＣＭＩＰ依存ファイル制御装置、６１ｈ：ＣＭＩＰ処理部、６１ｉ：ＳＮＭＰ依存ファイル制御装置、６１ｊ：ＳＮＭＰ処理部、６１ｋ：ファイル操作ローカルプロトコル依存制御、６１ｌ：ファイル操作ローカルプロトコル処理部、６２，６３：ファイルシステム管理装置（１），（２）。
【図１】
0003632166.tif 000003
【図２】
0003632166.tif 000004
【図３】
0003632166.tif 000005
【図４】
0003632166.tif 000006
【図５】
0003632166.tif 000007
【図６】
0003632166.tif 000008